(57)【特許請求の範囲】
【請求項１】
多数の画像を管理する方法であって：
第１のプロセッサユニットにより、指針を使用して、保存されるべき多数の画像の複数の解像度と、前記多数の画像の提示様式を特定することと、
コンピュータによって読み取り可能な記憶媒体に、多数の画像の複数のコピーを複数の解像度で保存することと、
前記第１のプロセッサユニットで、前記多数の画像のユーザへの同時の提示を規定するレイアウトにおける選択位置での各特定の提示される画像の相対サイズに関する指令を受信することと、
前記第１のプロセッサユニットで、各特定の提示される画像の前記相対サイズに基づいて、各特定の提示される画像の所望の解像度を選択することと、
前記第１のプロセッサユニットで、前記提示様式を使用して、前記提示を規定する前記レイアウトにおける前記選択位置に対して、同時に提示される前記多数の画像のうちの各特定の提示される画像のコピーを選択することとを備え、
選択された各特定の提示される画像のコピーは、複数の解像度のうち、前記レイアウトにおける前記選択位置での所望の解像度を有しており、
前記特定の提示される画像は、同時に提示される前記多数の画像における他の提示される画像の一部の詳細を表す、
方法。
【請求項２】
前記提示様式が、前記他の提示される画像に対する、同時に提示される前記多数の画像における各特定の提示される画像の前記選択位置及び相対サイズを有する、
請求項１に記載の方法。
【請求項３】
前記第１のプロセッサユニットで、各特定の提示される画像の前記選択位置を、同時に提示される前記多数の画像のうちの当該特定の提示される画像に関連するメタデータに基づいて選択することをさらに備え、
前記第１のプロセッサユニットは、各特定の提示される画像の所望の解像度を、当該特定の提示される画像に関連する前記メタデータに基づいて選択する、請求項１又は２に記載の方法。
【請求項４】
各特定の提示される画像に関連する前記メタデータが、前記選択位置についての複数の座標を含む、請求項３に記載の方法。
【請求項５】
各特定の提示される画像に関連する前記メタデータが、同時に提示される前記多数の画像のうちの一つの画像に対する当該特定の提示される画像の相対位置を含む、請求項３又は４に記載の方法。
【請求項６】
各特定の提示される画像に関連する前記メタデータが、当該特定の提示される画像に図示されるオブジェクトの物理的領域及び詳細レベルのうちの少なくとも一つについての情報を含む、請求項３から５のいずれか１項に記載の方法。
【請求項７】
同時に提示される前記多数の画像のうちの各特定の提示される画像の前記選択位置と、その他の提示される画像の多数の選択位置との間に論理的関係性が存在し、前記論理的関係性は各特定の提示される画像及び前記その他の提示される画像のコンテンツに基づくものである、請求項１から６のいずれか１項に記載の方法。
【請求項８】
前記第１のプロセッサユニットで、前記論理的関係性に基づいて、前記レイアウトにおける各特定の提示される画像のサイズを選択する
ことをさらに含む、請求項７に記載の方法。
【請求項９】
前記第１のプロセッサユニットで、各特定の提示される画像に関連するメタデータを使用して、前記選択位置と、前記多数の選択位置との間の前記論理的関係性を特定する
ことをさらに含む、請求項７又は８に記載の方法。
【請求項１０】
前記レイアウトは、所望の解像度を有する各特定の提示される画像の前記コピーの識別子、同時に提示される前記多数の画像のうちの前記その他の提示される画像に相対的に各特定の提示される画像の前記コピーを提示する選択位置、及び同時に提示される前記多数の画像のうちの前記その他の提示される画像のコピーに相対的に各特定の提示される画像のコピーを提示する前記相対サイズを含む、請求項８に記載の方法。
【請求項１１】
第２のプロセッサユニットで、前記第１のプロセッサユニットから同時に提示される前記多数の画像の前記レイアウトを受信することと、
識別子を使用して、前記第２のプロセッサユニットによって、前記第１のプロセッサユニットに、第１の所望の解像度を有する特定の提示される画像のコピーを要求することと、
前記第２のプロセッサユニットによって、前記レイアウトにおいて受信した選択位置及びサイズで前記特定の提示される画像の第１コピーを提示することと、
前記ユーザから前記第２のプロセッサユニットで、表示内の前記特定の提示される画像のコピーのサイズを第１レベルまで増加させる要求を受け付けることと、
前記第２のプロセッサユニットで前記第１レベルが閾値を超えるか否かを判断することと、
前記第１レベルが前記閾値を超えるという判断に応答して、前記第２のプロセッサユニットによって、前記第１のプロセッサユニットに、前記特定の提示される画像の前記第１コピーよりも高い詳細レベルを有し、第２の所望の解像度を有する前記特定の提示される画像の第２コピーを要求することと、
前記第２のプロセッサユニットで、前記特定の提示される画像の前記第２コピーが、前記第１コピーの代わりに表示されるように、前記特定の提示される画像の前記第２コピーを提示する
ことを含む、請求項１から１０のいずれか１項に記載の方法。
【請求項１２】
前記要求を第１の要求とした場合に、さらに、
前記ユーザから前記第２のプロセッサユニットで、表示内の前記特定の提示される画像のコピーのサイズを第２レベルまで減少させる第２の要求を受け付けることと、
前記第２のプロセッサユニットで前記第２レベルが閾値を下回るか否かを判断することと、
前記第２レベルが前記閾値を下回るという判断に応答して、前記第２のプロセッサユニットで、前記第１コピーが前記第２コピーの代わりに表示されるように、前記特定の提示される画像の前記第１コピーを提示する
ことを含む、請求項１１に記載の方法。
【請求項１３】
多数の画像を管理するコンピュータプログラムであって、
コンピュータで記録可能な記憶媒体と、
前記コンピュータで記録可能な前記記憶媒体に保存され、コンピュータ装置が請求項１から１０のいずれか１項に記載の方法を行うように前記コンピュータ装置によって実行可能であるプログラムコード
を含むコンピュータプログラム。
【請求項１４】
多数の画像を管理する装置であって
プログラムコードを含む記憶デバイスと、
プログラムコードを実行して、請求項１から１０のいずれか１項に記載の方法を行うように構成されたプロセッサユニット
を含む装置。
【発明の詳細な説明】
【技術分野】
【０００１】
本願は、参照することによって本明細書に組み込まれる、「タイル状の二次元図を使用した航空機のメンテナンス情報へのナビゲーション」と題し２０１１年１月２６日出願の米国仮出願第６１／４３６５８５号の優先権に関連し、また主張するものである。
【０００２】
本開示は概して、改良されたデータ処理システムに関し、具体的には、データ処理システムにおける画像の表示に関するものである。さらに具体的には、本開示はオブジェクトの多数の画像の表示を管理する方法、装置、及びコンピュータプログラム製品に関するものである。
【背景技術】
【０００３】
あるトピックについて印刷された情報はしばしば、その情報が一枚のページに入らないため、及び/又は複数のページを使用してさらに効果的に提示するために、複数のページに印刷される。複数のページは同じソース又は複数のソースに含まれていてよい。例えば、航空機の技術的な図面を、同じ図の異なる部分を別々のページに印刷することができるように、印刷することができる。航空機のあるアセンブリの図は一つのライブラリ又はソースに含まれていてもよく、その一方で別のアセンブリの図は第２のライブラリ又はソースに含まれていてよい。
【０００４】
印刷される情報はまた、一つの書類があるオブジェクトについてのあるレベルの詳細を含み、その一方で第２の書類が同じオブジェクトについての第２レベルの詳細を含むように印刷することができる。例えば、航空機の図は、航空機の外部が図面において可視であるように印刷することができる。同じ航空機の別の図は、航空機の外部は隠されているが、航空機の内部が提示されるように印刷することができる。したがって、読者は同じオブジェクトについての異なる情報を知るために異なる図面を使用することができる。
【０００５】
別の実施例では、配線系統の配線図は、配線図に提示される図形情報及び文字情報が一枚のページに入りきらないため、しばしば複数のページにわたって印刷される。したがって、読者が配線系統全体についての情報を得るために、書類を複数回変える可能性がある。
【０００６】
例えば工学図面、技術図面、配線図、及びその他の好適な書類の類を含む書類を、航空機のメンテナンスに用いることができる。書類は印刷した形態で見るように作成される。しかしながら、上記書類は通常、電子形態で保存され、データ処理システムの表示装置で閲覧される。この結果、読者は異なる種類の媒体上にあり得る異なる書類に目を通すことになる。この種の見直しは、ある航空機についての情報を見つけるのにかかる望ましい時間よりもさらに時間を消費しうる。
【発明の概要】
【発明が解決しようとする課題】
【０００７】
したがって、上述の問題の少なくとも幾つかだけでなく、可能性のある他の問題を考慮した方法及び装置を有することが有利である。
【課題を解決するための手段】
【０００８】
ある有利な実施形態では、多数の画像を管理する方法が提供されている。多数の画像が保存される複数の解像度、及び多数の画像の提示様式は指針を使用して特定される。多数の画像の複数のコピーは複数の解像度で保存される。多数の画像の提示を定義するレイアウトの選択位置に対し、多数の画像のうちの特定画像のコピーが提示様式を使用して選択される。特定画像のコピーは、そのレイアウトの選択位置に対する複数の解像度のうちの所望の解像度を有する。
【０００９】
別の有利な実施形態では、多数の画像のレイアウトを提示する方法が提供されている。多数の画像のうちの所望の解像度を有する特定画像のコピーの識別子、多数の画像のうちのその他の画像に相対的に特定画像のコピーを提示する選択位置、及び多数の画像のうちのその他の画像のコピーに相対的に特定画像のコピーを提示するサイズを含む多数の画像のレイアウトが受信される。所望の解像度を有する特定画像のコピーは識別子を使用して要求される。特定画像のコピーはレイアウトにおいて受信した選択位置及びサイズで提示される。
【００１０】
さらに別の有利な実施形態では、多数の画像を管理するコンピュータプログラム製品は、コンピュータで記録可能な記憶媒体、及びコンピュータで記録可能な記憶媒体に保存されたプログラムコードを含む。プログラムコードは、多数の画像が保存される複数の解像度、及び多数の画像の提示様式を指針を用いて特定する。プログラムコードはまた、多数の画像の複数のコピーも複数の解像度で保存する。プログラムコードにより、提示様式を使用して、多数の画像の提示を定義するレイアウトにおける選択位置に対し、多数の画像のうちの特定画像のコピーが選択される。特定画像のコピーは、レイアウトの選択位置に対して複数の解像度のうちの所望の解像度を有する。
【００１１】
さらに別の有利な実施形態では、多数の画像のレイアウトを提示するコンピュータプログラム製品は、コンピュータで記録可能な記憶媒体、及びコンピュータで記録可能な記憶媒体に保存されたプログラムコードを含む。プログラムコードは、多数の画像のうちの所望の解像度を有する特定画像のコピーの識別子、多数の画像のうちのその他の画像に相対的に特定画像のコピーを提示する選択位置、及び多数の画像のうちのその他の画像のコピーに相対的に特定画像のコピーを提示するサイズを含む多数の画像のレイアウトを受信する。プログラムコードはまた、識別子を使用して所望の解像度を有する特定画像のコピーも要求する。プログラムコードは、レイアウトにおいて受信した選択位置、及びサイズにおいて特定画像のコピーを提示する。
【００１２】
ある有利な実施形態では、多数の画像を管理する装置は記憶デバイス及びプロセッサユニットを含む。記憶デバイスはプログラムコードを含む。プロセッサユニットはプログラムコードを実行して、多数の画像が保存される複数の解像度及び多数の画像の提示様式を、指針を使用して特定するように構成されている。プロセッサユニットはさらに、多数の画像の複数のコピーを複数の解像度で保存するように構成されている。プロセッサユニットは、提示様式を使用して、多数の画像の提示を定義するレイアウトにおける選択位置に対して、多数の画像のうちの特定画像のコピーを選択する。特定画像のコピーは、レイアウト内の選択位置に対して、複数の解像度のうちの所望の解像度を有する。
【００１３】
別の有利な実施形態では、多数の画像のレイアウトを提示する装置は、記憶デバイス及びプロセッサユニットを含む。記憶デバイスはプログラムコードを含む。プロセッサユニットは、プログラムコードを実行して、多数の画像のうちの所望の解像度を有する特定画像のコピーの識別子、多数の画像のうちのその他の画像に相対的に特定画像のコピーを提示する選択位置、及び多数の画像のうちのその他の画像のコピーに相対的に特定画像のコピーを提示するサイズを含む、多数の画像のレイアウトを受信するように構成されている。プロセッサユニットはさらに、識別子を使用して、所望の解像度を有する特定画像のコピーを要求するように構成されている。プログラムコードは、特定画像のコピーをレイアウトにおいて受信した選択位置及びサイズにおいて提示するように構成されている。
【００１４】
特徴、機能及び利点は、本発明の様々な実施形態において個別に達成することができる、または下記の説明及び図面を参照することによってさらに詳細を理解することができる更に別の実施形態と組み合わせることができる。
【００１５】
有利な実施形態を特徴づけていると思われる新規特性は添付の請求項に記載されている。有利な実施形態だけでなく、使用の好ましいモード、更なる目的及びその利点はしかしながら、添付の図面と併せて読むときに、本発明の有利な実施形態の下記の詳細説明を参照することによって最適に理解される。
【図面の簡単な説明】
【００１６】
【図１】図１は、有利な実施形態による航空機の製造及び就航方法の図である。
【図２】図２は、有利な実施形態を実行できる航空機の図である。
【図３】図３は、有利な実施形態による画像管理環境のブロック図である。
【図４】図４は、有利な実施形態による提示様式のブロック図である。
【図５】図５は、有利な実施形態による画像管理プロセスのブロック図である。
【図６】図６は、有利な実施形態による第１図のスクリーンショットの図である。
【図７】図７は、有利な実施形態による第２図のスクリーンショットの図である。
【図８】図８は、有利な実施形態による第３図のスクリーンショットの図である。
【図９】図９は、有利な実施形態による配線図を含む図のスクリーンショットの図である。
【図１０】図１０は、有利な実施形態による書類を含む図のスクリーンショットの図である。
【図１１】図１１は、有利な実施形態による多数の画像を管理するプロセスのフロー図である。
【図１２】図１２は、有利な実施形態による多数の画像を提示するプロセスのフロー図である。
【図１３】図１３は、有利な実施形態によるレイアウトを生成するプロセスのフロー図である。
【図１４】図１４は、有利な実施形態による、画像を表示するプロセスのフロー図である。
【図１５】図１５は、有利な実施形態によるユーザー入力を管理するプロセスのフロー図である。
【図１６】図１６は、有利な実施形態によるデータ処理システムの図である。
【発明を実施するための形態】
【００１７】
さらに具体的に図面を参照すると、開示の有利な実施形態は、図１に示す航空機の製造及び就航方法１００と、図２に示す航空機２００において説明することができる。まず図１に注目すると、航空機の製造及び就航方法の図が有利な実施形態にしたがって図示されている。試作段階においては、航空機の製造及び就航方法１００は図２の航空機２００の規格及び設計１０２と材料調達１０４を含むことができる。
【００１８】
製造段階においては、図２の航空機２００の構成部品及びサブアセンブリの製造１０６と、システム統合１０８が行われる。その後、図２の航空機２００は、認可及び納品１１０を経て、就航１１２される。顧客によって使用１１２されている間、図２の航空機２００には定期的な整備及び保守１１４（修正、再構成、改修、及びその他の整備又は保守を含むことができる）が予定される。
【００１９】
作業者が航空機２００の定期的な整備及び保守１１４を実施している間、この作業者は異なる有利な実施形態を使用して、航空機２００の定期的な整備及び保守１１４に関する書類から情報を得ることができる。例えば、作業者は、それぞれ複数のページを有する複数の書類から修理又は整備作業をどのように実施するかを知ることができる。ある有利な実施形態では、作業者はデータ処理システムの表示デバイス上に提示された書類を使用して、電気系統の不具合を見つけて電気系統を補修する。
【００２０】
航空機の製造及び就航方法１００の各プロセスは、システムインテグレータ、第三者、及び／又はオペレータによって行う又は実施することができる。これらの実施例では、オペレータは顧客であってよい。この説明のために、システムインテグレータは限定しないが、任意の数の航空機メーカー、及び主要システムの下請け業者を含むことができ；第三者は限定しないが、任意の数の供給メーカー、下請け業者、及びサプライヤを含むことができ；オペレータは、航空会社、リース会社、軍部、サービス組織等であってよい。
【００２１】
ここで図２を参照すると、有利な実施形態を実行することができる航空機の図が示されている。この実施例では、航空機２００は図１の航空機の製造及び就航方法１００によって製造され、複数のシステム２０４及び内部装飾２０６を有する機体２０２を含むことができる。複数のシステム２０４の実施例は、一又は複数の推進システム２０８、電気システム２１０、油圧システム２１２、及び環境システム２１４を含む。任意の数の他のシステムを含む。航空宇宙における実施例を示したが、異なる有利な実施形態を自動車産業等の他の業界に応用することができる。
【００２２】
本明細書に具現化された装置及び方法は、図１の航空機の製造及び就航方法１００のうちの少なくとも一つの段階において採用することができる。本明細書で使用される「少なくとも一つの」という表現は、品目リストとともに使用される場合は、一以上のリスト品目の異なる組み合わせを使用することができ、リストの中の各品目のうちの一つのみが必要であり得ることを意味する。例えば、「品目Ａ、品目Ｂ、及び品目Ｃのうちの少なくとも一つ」は例えば非限定的に、品目Ａ、又は品目Ａ及び品目Ｂを含むことができる。この実施例はまた、品目Ａ、品目Ｂ、及び品目Ｃ、又は品目Ｂ及び品目Ｃも含むことができる。
【００２３】
ある実施例では、図１の構成部品及びサブアセンブリの製造１０６で製造された部品又はサブアセンブリは、航空機２００が図１で就航１１２している間に製造される部品又はサブアセンブリと同じ方法で加工又は製造することができる。さらに別の実施例では、多数の装置の実施形態、方法の実施形態、又はこれらの組み合わせを、例えば、図１の構成部品及びサブアセンブリの製造１０６、及びシステム統合１０８等の製造段階において用いることが可能である。「多数の」は、品目を指す場合には「一又は複数の品目」を意味する。例えば、多数の装置の実施形態は一又は複数の装置の実施形態である。多数の装置の実施形態、方法の実施形態、又はこれらの組み合わせを、図１の航空機２００が就航１１２中に、及び/又は整備及び保守１１４中に用いることができる。多数の異なる有利な実施形態の使用によって、航空機２００を実質的に組立てやすくする、又は航空機２００にかかる費用を削減することができる。
【００２４】
異なる有利な実施形態は、多数の異なる検討事項を認識し考慮している。例えば、異なる有利な実施形態は、複数の電子ページに含まれる情報を頻繁に見る読者が複数のページを使用して所望の情報を得ることを認識し考慮している。
【００２５】
例えば、航空機の構成パーツを知りたいと所望する読者は、航空機を形成しているアセンブリ及びパーツの図面を含む多数のページを見ることができる。上記情報は一般に複数のページ上の複数の図面に含まれている。ある図面は航空機の外部の図である一方で、別の図面は計器パネルの構成パーツについての情報を含むことができる。さらに別の図面は、計器パネル上の特定のゲージについての情報を含むことができる。
【００２６】
異なる有利な実施形態により、読者が航空機に関連する多数の又は全ての図面を同時に見ることが可能になる。読者はそれから、所望の情報を見つけるために特定の画像又は画像のグループを拡大することができる。
【００２７】
有利な実施形態では、画像は、画像間の論理的な関係性が示すように配置されサイズ決定される。例えば、画像は、航空機の外部全体を図示する工学図面が階層の最上部に位置づけされる階層で提示することができる。航空機の部分工学図面は外部図面の下に位置づけされてよく、又はその部分が位置する航空機の物理的領域を示す位置にあってよい。上記データは例えば、各画像に関するメタデータ内に位置づけすることができる。
【００２８】
他の有利な実施形態では、読者は所望の情報を含むページを正確には知らない可能性がある。例えば、エンジンの部品を補修しようとする読者は、部品がエンジン内のどこにあるかということと、部品の形を知っているかもしれないが、そのパーツについての補修情報が位置する特定図面を知らないかもしれない。異なる有利な実施形態により、読者が第１の解像度で多数の図面を同時に見ることが可能になる。図面はエンジンのシステムに従ってグループ分けされた配置にレイアウトすることができる。読者はそして、所望の情報を含むと思われる画像又は画像のグループのサイズを大きくすることができる。サイズが拡大された画像は表示上で第１の解像度よりも高い解像度の画像のコピーと置換される。
【００２９】
したがって、異なる有利な実施形態は、多数の画像を管理する方法、装置、及びコンピュータプログラム製品を提供する。ある有利な実施形態では、多数の画像を管理する方法が提供されている。多数の画像が保存される複数の解像度、及び多数の画像の提示様式は指針を使用して特定される。多数のページの複数のコピーは複数の解像度で保存される。多数の画像の提示を定義するあるレイアウトの選択位置に対し、多数の画像のうちの特定画像のコピーが提示様式を使用して選択される。特定画像のコピーは、レイアウトの選択位置に対して、複数の解像度のうちの所望の解像度を有する。
【００３０】
ここで図３を参照すると、有利な実施形態にしたがって画像管理環境のブロック図が示されている。画像管理環境３００は、有利な実施形態を実行可能な環境の一例である。
【００３１】
画像管理環境３００は、データ処理システム３０２及びデータ処理システム３０４を含む。データ処理システム３０２は、画像管理プロセス３０６を実行する。データ処理システム３０２は、例えば図１６のプロセッサユニット１６０４等のプロセッサユニット上で画像管理プロセス３０６を実行することができる。画像管理プロセス３０６は多数の画像３１０を受信することによって開始する。多数の画像３１０は、表示デバイス上に表示可能な電子ファイルの集合体である。これらの実施例では、多数の画像３１０の各画像は書類である。多数の画像３１０は例えば、図１６の記憶デバイス１６１５等の記憶デバイス上に保存可能である。多数の画像３１０は、記憶デバイス上のファイル又はフォルダの識別子の集合体としてユーザ入力において受信することができる。当然ながら、多数の画像３１０は例えばコンピュータプログラムを通して等、他の方法で受信することができる。
【００３２】
画像管理プロセス３０６は、多数の画像３１０が保存される複数の解像度３０８を特定する。複数の解像度３０８は多数の画像３１０のうちの各画像の保存において使用されるべきデータの量である。これらの実施例では、複数の解像度３０８は多数の画像３１０の画素単位の容量である。例えば、多数の画像３１０のうちのある画像の解像度は、幅約１６００画素と、高さ約１２００画素であってよい。
【００３３】
画像管理プロセス３０６はまた、多数の画像３１０の提示様式３１２も特定する。提示様式３１２は、多数の画像３１０の配置及びサイズ決定の構成である。例えば、提示様式３１２は、階層、グリッド、又は別の好適な形態のうちの少なくとも一つであってよい。提示様式３１２は、例えばファイル、データベース、又は別の好適なデータタイプ等のデータソースに保存することができる。
【００３４】
複数の解像度３０８及び提示様式３１２は指針３１４を使用して特定することができる。指針３１４は多数の規則であり、規則を適用するために使用されるデータを含むことができる。多数の規則は多数の画像３１０の保存及び/又は提示に関連するものである。指針３１４は、ファイル、データベース、又は一以上の規則を含む別の好適なデータソースに位置づけすることができる。これらの有利な実施形態では、指針３１４は提示様式３１２及び複数の解像度３０８を含む。当然ながら、他の有利な実施形態では、指針３１４は他の情報を含むことができる。例えば、指針３１４はセキュリティ情報、ネットワーク情報、及び/又は他の好適な情報を含むことができる。
【００３５】
画像管理プロセス３０６はそれから複数のコピー３１６を複数の解像度３０８で保存する。例えば、特定画像３１８は多数の画像３１０のうちの一つの画像である。特定画像３１８のコピーは、複数の解像度３０８のうちの各解像度で保存することができる。複数のコピー３１６は、ネットワークを利用して、データ処理システム３０２又は別のデータ処理システムに関連する記憶デバイスに保存可能である。
【００３６】
複数のコピー３１６が一旦生成されると、画像管理プロセス３０６はレイアウト３２２を生成する。当然ながら、その他の有利な実施形態では、レイアウト３２２は複数のコピー３１６が生成される前に生成することができる。レイアウト３２２は多数の画像３１０を表示するための位置及びサイズ情報の集合体である。言い換えると、レイアウト３２２は多数の画像３１０の提示３２８を定義する。有利な実施形態では、レイアウト３２２は例えば拡張マークアップ言語（ＸＭＬ）ファイル等のファイルに保存される。当然ながら、レイアウト３２２は、別の種類のファイル、データベース、又は別の好適なデータタイプに保存することができる。
【００３７】
画像管理プロセス３０６は、レイアウト３２２の選択位置に対して特定画像３１８のコピー３２４を選択することによって、レイアウト３２２を生成する。コピー３２４は、コピー３２４が所望の解像度３２７を有する場合に、複数のコピー３１６から選択位置３２６に対して選択される。
【００３８】
所望の解像度３２７は、レイアウト３２２を使用している時に特定画像３１８が提示されるサイズと一致する複数の解像度３０８のうちの一つの解像度である。特定画像３１８が提示されるサイズは、画像が表示デバイス上に表示される寸法である。例えば、サイズは幅寸法及び高さ寸法を含むことができる。ある実施例では、所望の解像度３２７は、レイアウト３２２が、特定画像３１８がレイアウト３２２において最大の画像として表示されることを示す時は、幅約１６００画素及び高さ約１２００画素の解像度である。あるいは、所望の解像度３２７は、特定画像３１８がレイアウト３２２において最小の画像として表示される時は、幅約６４０画素×高さ約４８０画素であってよい。
【００３９】
ある有利な実施形態では、メタデータ３３０は特定画像３１８に関連している。上記の有利な実施形態では、選択位置３２６及び/又は所望の解像度３２７はメタデータ３３０を使用して選択される。例えば、特定画像３１８に関するメタデータ３３０は、レイアウト３２２内で特定画像３１８の位置を特定する複数の座標３３２を含むことができる。メタデータ３３０はまた、例えば、レイアウト３２２内又はレイアウト３２２外の他の画像のポイント、又は識別等の他の情報も含むことができる。メタデータ３３０はまた、特定画像３１８の多数のオブジェクトについての情報も含むことができる。
【００４０】
他の有利な実施形態では、メタデータ３３０は一以上のタグ、ヘッダー情報、多数のオブジェクトの履歴詳細、関連画像及び/又はオブジェクト、及び/又は他の好適な情報を含む。メタデータ３３０は、異なる詳細レベルを使用して、特定画像３１８に図示される他の画像及び/又はオブジェクトの識別子を含むことができる。例えば、メタデータ３３０は、特定画像３１８が、航空機に付随する翼の工学図面を図示する時に、航空機の工学図面の識別子を含むことができる。
【００４１】
複数の座標３３２は、絶対座標又は相対座標であってよい。言い換えると、複数の座標３３２は、レイアウト３２２すべてにわたる座標系において座標を規定することによって、絶対座標であってよい。あるいは、複数の座標３３２は、レイアウト３２２の別の画像又はポイントに対して、座標系において座標を規定することによって、相対座標であってよい。言い換えると、複数の座標３３２は多数の画像３１０の画像３３８に比べて特定画像３１８の相対位置３３６を示しうる。
【００４２】
さらに別の有利な実施形態では、多数の画像３１０のうちの特定画像３１８の選択位置３２６及びその他の画像３２０の多数の選択位置３５０の間に、論理的な関係性３４８が存在する。論理的な関係性３４８は、特定画像３１８のコンテンツ３５１と他の画像３２０のコンテンツ３５２の間の関連付けである。コンテンツ３５１は、特定画像３１８に図示されているサブジェクト又はオブジェクトである。同様に、コンテンツ３５２は、その他の画像３２０に図示されているサブジェクト又はオブジェクトを表す。論理的な関係性３４８はある有利な実施形態においてメタデータ３３０において示される。
【００４３】
例えば、論理的な関係性３４８はある特定画像３１８がその他の画像３２０に図示されるオブジェクトの別の図を図示することでありうる。論理的な関係性３４８の別の例は、特定画像３１８がその他の画像３２０のうちの少なくとも一つに図示される図面の続きを図示することである。上記有利な実施形態では、画像管理プロセス３０６はコンテンツ３５１及びコンテンツ３５２の間の論理的な関係性３４８を使用して、レイアウト３２２の特定画像３１８の選択位置３２６及びサイズ３５４を選択する。
【００４４】
他の有利な実施形態では、特定画像３１８に関連するメタデータ３３０は特定画像３１８に図示されるオブジェクト３４２についての情報３４０を含む。これらの実施例では、情報３４０は特定画像３１８に図示されるオブジェクト３４２の物理的領域３４４及び/又は特定画像３１８に図示されるオブジェクト３４２の詳細レベル３４６を含む。画像管理プロセス３０６は情報３４０を使用して選択位置３２６を選択する。
【００４５】
さらに別の有利な実施形態では、メタデータ３３０は存在しない。上記有利な実施形態では、ユーザは選択位置３２６に対して特定画像３１８を入力することができる。例えば、ユーザはレイアウト３２２の航空機全体図の翼領域近辺で、レイアウト３２２の航空機のエンジンの画像を見つけることを所望しうる。
【００４６】
さらに別の有利な実施形態では、特定画像３１８の選択位置３２６及び特定画像３１８の相対サイズ３３４が提示様式３１２で受信される。上記の有利な実施形態では、提示様式３１２は、特定画像３１８の選択位置３２６及び相対サイズ３３４を含むデータソースである。
【００４７】
例えば、提示様式３１２は、レイアウト３２２が提示される時に階層が提示されるように表示することができる。上記の実施例では、提示様式３１２は、特定画像３１８の選択位置３２６が画像３３８よりも下に提示され、特定画像３１８の相対サイズ３３４は画像３３８のサイズの約半分であることを示しうる。相対サイズ３３４は例えば、画像３３８等の別の画像のサイズを使用して計算される特定画像３１８のサイズの測定値である。上記の有利な実施形態では、特定画像３１８の相対サイズ３３４に基づいて所望の解像度３２７が選択される。例えば、提示様式３１２の相対サイズ３３４が閾値よりも大きい場合には、第１解像度は所望の解像度３２７であってよい。提示様式３１２の相対サイズ３３４が閾値よりも小さい場合に、第２解像度が所望の解像度３２７であってよい。
【００４８】
したがって、特定画像３１８のコピー３２４の選択位置３２６、識別子３６６、及び特定画像３１８のサイズ３５４はレイアウト３２２に保存される。サイズ３５４は、その他の画像３２０のコピー３５６のサイズに相対的な値として保存することができる。コピー３２４は識別子３６６を使用してレイアウト３２２に提示することができる。識別子３６６は、ファイル名、ネットワークアドレス、ユニフォーム・リソース・ロケータ（ＵＲＬ）、又は別の好適な識別子であってよい。
【００４９】
この有利な実施形態では、コピー３２４は図３に図示されている。しかしながら、別の有利な実施形態では、レイアウト３２２は異なるサイズでの表示に対する異なる所望の解像度を表す特定画像３１８の複数のコピーの識別子を含む。例えば、特定画像３１８のコピー３７６はコピー３２４のように特定画像３１８のコピーである。しかしながら、コピー３７６はコピー３２４よりも高い解像度を有する。したがって、レイアウト３２２は、コピー３２４が特定のサイズ範囲で表示されている時に、表示の第１解像度を有するコピー３２４の識別子を含むことができる。しかしながら、レイアウト３２２はまた、第１解像度よりも高い第２解像度を有する特定画像３１８のコピー３７６の識別子も含むことができる。コピー３７６の識別子は、コピー３２４のサイズが閾値を超えて拡大した時に、コピーを要求するために使用される。閾値はある有利な実施形態においてレイアウト３２２に含まれていてよい。
【００５０】
これらの実施例では、上記識別子情報、位置情報、解像度情報、及びサイズ情報が、多数の画像３１０の各画像に対して選択されレイアウト３２２に保存される。当然ながら、ある有利な実施形態では、多数の画像３１０の一以上の画像についての位置、解像度、及び/又はサイズ情報は選択されない、又はレイアウト３２２に保存されない。
【００５１】
画像管理プロセス３０６はそして、リクエスタ３６０からレイアウト３２２に対する要求３５８を受信することができる。リクエスタ３６０はこれらの実施例では、データ処理システム３０４で実行される画像提示プロセス３６２である。要求３５８は、ネットワーク３６１上で画像管理プロセス３０６が受信するメッセージであってよい。当然ながら、他の有利な実施形態では、要求３５８はフラッシュ記憶媒体、光記憶媒体、又は別の好適な記憶媒体上で受信することができる。画像管理プロセス３０６はそして、レイアウト３２２を含むコンピュータプログラム製品３６４を形成し、コンピュータプログラム製品３６４を画像提示プロセス３６２に送信する。
【００５２】
画像提示プロセス３６２はレイアウト３２２を受信する。画像提示プロセス３６２はレイアウト３２２のコピー３２４の識別子３６６を使用して、データ処理システム３０２で実行されている画像管理プロセス３０６からコピー３２４を要求する。例えば、画像提示プロセス３６２は、レイアウト３２２のＵＲＬを使用してコピー３２４を要求することができる。
【００５３】
画像提示プロセス３６２はコピー３２４を受信し、コピー３２４をレイアウト３２２において示される選択位置３２６及びサイズ３５４で提示する。画像提示プロセス３６２は、表示デバイス３７０にコピー３２４を表示させることによってコピー３２４を提示する。同様に、レイアウト３２２に含まれる、多数の画像３１０のうちのその他の画像３２０のコピー３５６が要求され表示される。ある実施例では、ユーザ入力３８０が受信される。ユーザ入力３８０は表示デバイス３７０に表示されているコピー３２４の有効化３８２を含む。上記の実施例では、画像提示プロセス３６２は色を反転表示３８４させてコピー３２４を提示する。色の反転表示３８４は、表示デバイス３７０に表示されているコピー３２４の画像につけられた不透明の又は透明の着色である。例えば、ユーザ入力３８０において有効化された時に、コピー３２４が黄色に反転表示されうる。
【００５４】
別の有利な実施形態では、ユーザ入力３８０は有効化３８２を含むが、有効化３８２によりユーザ入力３８０でコピー３２４が表示されることはない。その代わりに、ユーザ入力３８０は有効化３８２と位置３８６を含む。有効化３８２は、表示デバイス３７０によって表示されている多数の画像３１０からの一つの画像の選択である。位置３８６は、コピー３２４の新しい位置である。画像提示プロセス３６２は、選択位置３２６におけるコピー３２４の提示を停止して、代わりにコピー３２４を位置３８６において提示することによってコピー３２４を位置３８６へ移動させる。
【００５５】
多数の画像３１０の画像のコピーは異なる解像度で提示することができる。例えば、画像３３８のコピー３２４、及びコピー３８８が表示デバイス３７０によって表示されていると仮定する。コピー３２４及びコピー３８８は、一以上の状態の発生に基づき、異なる所望の解像度３９０で表示することができる。つまり、特定の状態が真である時に、コピー３２４は所望の解像度３２７を有し、コピー３８８は所望の解像度３９２を有する。
【００５６】
例えば、コピー３２４は表示デバイス３７０の特定領域３９４に表示されていると仮定する。さらに、コピー３８８は表示デバイス３７０に表示されているが、表示デバイス３７０の特定領域３９４外であると仮定する。この実施例では、特定領域３９４は、ユーザが注目している領域を示す表示デバイス３７０の領域である。例えば、特定領域３９４は表示デバイス３７０の中央を囲む領域であってよい。所望の解像度３９２のコピー３８８は、コピー３８８が特定領域３９４に移動されるまで表示される。
【００５７】
例えば、ユーザは、コピー３８８が表示デバイス３７０の特定領域３９４に表示されるように図面３９５を動かすことができる。画像提示プロセス３６２はそしてレイアウト３２２を使用して、所望の解像度３９７を有する画像３３８のコピー３９６を特定する。この実施例では、所望の解像度３９７は所望の解像度３９２よりも高い解像度である。画像提示プロセス３６２はそしてコピー３９６を要求し、コピー３９６を受信して、表示デバイス３７０を使用してコピー３８８の代わりにコピー３９６を提示する。したがって、コピー３８８は、コピー３８８が表示デバイス３７０の特定領域３９４に入るように図面３９５が移動された時に、より高い解像度の画像コピー３３８に置換される。
【００５８】
別の有利な実施形態では、特定画像３１８のコピー３２４のサイズ３５４を第１レベル３７２まで大きくする要求３５９を受信する。要求３５９はユーザ入力として受信することができる。例えば、データ処理システム３０４のユーザは、コピー３２４のサイズを大きくしてさらに詳細を見ることを所望する場合がある。上記有利な実施形態では、画像提示プロセス３６２は、第１レベル３７２が閾値３７４を超えるか否かを判断する。閾値３７４は、所望の解像度３２７が変化するサイズ３５４の値である。閾値３７４はある有利な実施形態ではレイアウト３２２に含まれる。サイズ３５４が閾値３７４を超える場合、画像提示プロセス３６２は特定画像３１８のコピー３７６を要求する。コピー３７６は、レイアウト３２２においてコピー３２４よりも高い解像度を有すると表示されている。
【００５９】
画像提示プロセス３６２により、コピー３７６がコピー３２４の代わりに表示デバイス３７０に表示される。ある有利な実施形態では、コピー３２４にアニメーション効果が適用され、その結果コピー３７６が表示される。同様に、コピー３２４のサイズ３５４を第２レベル３７８まで小さくする要求３５９を受信する。第２レベル３７８が閾値３７４よりも低い場合、コピー３２４がコピー３７６の代わりに表示デバイス３７０に提示される。
【００６０】
図３の画像管理環境３００の図は物理的又はアーキテクチャ制限を暗示するように意図されたものではなく、異なる有利な実施形態が実行可能である。他の構成部品を説明したものに加えて、又はそれの代わりに用いてもよい。ある構成部品はある有利な実施形態において不必要である場合がある。また、ブロックは幾つかの機能性構成部品を説明するために記載されたものである。一以上のこれらのブロックは、異なる有利な実施形態において実行するときに、組み合わせる、及び/又は異なるブロックに分割することが可能である。
【００６１】
例えば、幾つかの有利な実施形態において、データ処理システム３０４とデータ処理システム３０２は同じデータ処理システムである。つまり、画像提示プロセス３６２と画像管理プロセス３０６は同じデータ処理システム上で実行される。したがって、単一のデータ処理システムを使用して、レイアウト３２２が生成され、多数の画像３１０が表示デバイス３７０に提示される。当然ながら、他の有利な実施形態では、画像管理プロセス３０６と画像提示プロセス３６２の幾つかの機能はそれぞれ、複数のデータ処理システム上で実行可能である。例えば、レイアウト３２２は、複数の画像セットに対して、別々のデータ処理システム上に同時に生成することが可能である。
【００６２】
ここで図４を参照すると、提示様式のブロック図が有利な実施形態にしたがって図示されている。提示様式４００は、図３の提示様式３１２の例示実行形態である。
【００６３】
提示様式４００はある有利な実施形態において階層４０２の形態である。階層４０２は例えば、図３の多数の画像３１０等の画像の順序づけである。これらの実施例では、例えば図３の特定画像３１８等の特定画像を第１レベル４０４上に提示することができる。特定画像は、例えば図３の画像３３８等の第２画像のコンテンツについてのさらなる詳細４０６を図示する。したがって、第２画像は第２レベル４０８上にある。第２レベル４０８は第１レベル４０４よりも高い階層にある。第２画像は、第１レベル４０４の特定画像が第２レベル４０８の第２画像についてのさらなる詳細４０６を提示するため、第２レベル４０８上に提示される。
【００６４】
他の有利な実施形態では、提示様式４００はグリッド４１０である。グリッド４１０は、水平に配置された、及び/又は垂直に配置された画像の集合体である。これらの実施例では、グリッド４１０は、例えば図３のオブジェクト３４２等のオブジェクトの同じ又は同様の物理的位置４１２を表す画像が、例えばレイアウト３２２等のレイアウトに保存された場合に、互いに隣接して位置づけされるような順序で画像を提示する。
【００６５】
ここで図５を参照すると、画像管理プロセスのブロック図は有利な実施形態にしたがって図示されている。画像管理プロセス５００は図３の画像管理プロセス３０６の例示実行形態である。
【００６６】
特定画像５０２は図３の特定画像３１８の一例である。ある有利な実施形態では、特定画像５０２はアセンブリ５０４を図示する。アセンブリ５０４は、一よりも多いパーツを含む機構である。これらの実施例では、その他の画像５０６はアセンブリ５０４の多数の構成部品５０８を図示する。その他の画像５０６は図３のその他の画像３２０の実施例である。多数の構成部品５０８はアセンブリ５０４の構成パーツである。例えば、特定画像５０２は計器パネルを図示してよく、他の画像５０６は多数の計器、ブラケット、及び電気接続部を図示しうる。
【００６７】
別の有利な実施形態では、例えば図３の多数の画像３１０等の多数の画像は配線系統５１０を図示する。配線系統５１０は特定目的の導体についての情報を示す図である。この図は配線経路、コネクタ、着色、及びその他の好適な情報を含みうる。この有利な実施形態では、特定画像５０２は配線系統５１０の第１部分５１２を図示する。第１部分５１２は多数の配線５１４についての情報を含む。その他の画像５０６は配線系統５１０のその他の部分５１６についての情報を図示する。この実施例では、その他の部分５１６は多数の配線５１８を含む。多数の配線５１８は多数の配線５１４に接続されている様子が図示されているが、多数の配線５１８及び多数の配線５１４についての情報は異なる画像に保存されている。つまり、特定画像５０２に図示される多数の配線５１４は、その他の部分５１６の少なくとも一部分５２０に図示されている多数の配線５１８に接続している。
【００６８】
さらに別の有利な実施形態では、特定画像５０２の、例えば図３の選択位置３２６等の選択位置はポイント５２２である。ポイント５２２は基準５２６が位置する画像５２４の位置を表す。基準５２６は書類との文字的又は図示的関連性を示すものである。例えば、多数の画像により法定の概要が図示される有利な実施形態では、基準５２６は例えば裁判所の判断等の関係書類を参照する脚注である。したがって、特定画像５０２は画像５２４の基準５２６によって参照される書類５２８である。
【００６９】
図６〜８は、ユーザがレイアウトが提示される図面を使用するときに表示される例示の画像を図示する。これらの実施例では、図面は図３の図面３９５であってよい。
【００７０】
ここで図６を参照すると、第１図面のスクリーンショットの図が有利な実施形態にしたがって図示されている。図面６００は、図面３９５の例示の実行形態である。これらの実施例では、図面６００は例えば図３の表示デバイス３７０等の表示デバイス上に表示される。
【００７１】
図面６００は画像６０２を含む。画像６０２は例えば図３の多数の画像３１０等の多数の画像のコピーである。画像６０２のコピーは、これらのコピーが提示される位置に基づいて異なる解像度を有する。画像６０６は画像６０４よりも低い解像度を有する。
【００７２】
この有利な実施形態では、画像６０２は航空機の工学図面を示す。この画像は、例えば図３の論理的関係性３４８等の論理的関係性を有する。上記論理的関係性は画像に関するメタデータを使用して特定することができる。この実施例において論理的関係性とは、あるレベル上に提示された画像が、上記レベル上の画像のコンテンツに関連するさらなる詳細を図示するということである。
【００７３】
図面６００は、提示様式が階層である場合に生成される図面の一例である。例えば、画像６０４は、画像６０６が画像６０４についてのコンテンツのさらなる詳細を示しているため、階層において画像６０６よりも高いレベルにある。
【００７４】
例えば、画像６０４は航空機全体の外部を示す図である。画像６０６は機首部分、着陸ギアアセンブリ、窓、エンジンアセンブリ、及び尾部アセンブリを図示する。画像６０６は、画像６０４よりもコンテンツについてのさらなる詳細を図示する。
【００７５】
画像６０８は、画像６０６のコンテンツに関するさらなる詳細を図示しうる。画像６１０はさらにより詳細を図示しうる。しかしながら、図面６００において、画像６０８及び画像６１０は読者が部分的のみ理解する又は全く理解しない程度の解像度で提示される。当然ながら、その他の有利な実施形態では、画像６０８及び/又は画像６１０は、実質的に全ての提示されている情報を読み取るのに十分な解像度で提示されうる。
【００７６】
この実施例では、ユーザは制御装置６１２を起動して、図面６００が領域６１４のみを含むように図面６００において画像を移動する及び/又は図面６００の画像のサイズを大きくする。
【００７７】
ここで、有利な実施形態にしたがって第２図面のスクリーンショットが図示される図７に注目する。図面７００は、ユーザが制御装置６１２を使用して、領域６１４を含むように図６の図面６００を修正した結果である。
【００７８】
ユーザが一旦図面７００を形成するために制御装置６１２を起動すると、画像６０４、画像６０６、画像６０８、及び画像６１０のサイズが大きくなる。画像６０６及び画像６０８のサイズが、例えば図３の閾値３７４等の閾値を超えたと仮定する。これにより、図６に提示されたものよりも高い解像度を有する画像６０６及び画像６０８のコピーが要求され、受信され、そして図６の図面６００からの画像の代わりに提示される。
【００７９】
コピーの解像度により、ユーザが実質的に全ての提示されている情報を読み取ることが可能になる。しかしながら、図面７００は、図面６１０のサイズが閾値を超えるレベルにまで大きくなっていないため、ユーザが読み取るのに十分な解像度で画像６１０を提示していない。この実施例では、ユーザは制御装置６１２を再度起動して図面を領域７０２に動かす、及び/又は図面を領域７０２にサイズ変更する。
【００８０】
有利な実施形態にしたがって、第３図面のスクリーンショットが図示される図８を参照する。図面８００は、ユーザが制御装置６１２を使用して図７の領域７０２を含むように図面７００を修正した結果である。
【００８１】
一旦ユーザが図面８００を形成するために制御装置を起動すると、画像６０４、画像６０６、画像６０８、及び画像６１０のサイズが大きくなる。画像６１０のサイズはここで閾値を超えて大きくなっている。これにより、画像６１０の追加コピーが要求され、受信され、図７のコピーの代わりに提示されている。画像６１０のコンテンツ及び情報はここでユーザが読み取るのに十分である。この有利な実施形態では、図面８００内に含まれる画像６１０のコピーのみが要求される。したがって、図面８００に含まれない画像のコピーはこの有利な実施形態では要求されない。
【００８２】
ここで、有利な実施形態にしたがって配線図を含む図面のスクリーンショットが図示される図９に注目する。図面９００は図３の図面３９５の例示の実行形態である。
【００８３】
図面９００は、画像９０２、９０４、９０６、９０８、及び９１０を含む。画像９０２、９０４、９０６、９０８、及び９１０は、配線系統の異なる部分が各ページに図示されるように印刷された配線系統の配線図を図示する。画像９０２、９０４、９０６、９０８、及び９１０は、例えば画像９０２に図示される配線が画像９０４に図示される配線に繋がる等の論理的関係性を有する。画像９０４に図示される少なくとも一つの配線は、画像９０６の少なくとも一つの配線につながる。画像９０６に図示される少なくとも一つの配線は、画像９０８の少なくとも一つにつながっている。同様に、画像９０８に図示される少なくとも一つの配線は画像９１０の少なくとも一つの配線につながっている。
【００８４】
特定領域９１２は、図３の特定領域３９４の例示の実行形態である。画像９１０は図面９００に位置しているが、図面９００の特定領域９１２外にある。したがって、画像９１０は、画像９０２、９０４、９０６、及び９０８の提示コピーの解像度よりも低い解像度を有するコピーとして提示される。
【００８５】
有利な実施形態にしたがって、書類を含む図面のスクリーンショットを図示する図１０を参照する。図面１０００は図３の図面３９５の例示の実行形態である。
【００８６】
図面１０００は画像１００２及び画像１００４を含む。画像１００２は、例えば図５の基準５２６等の画像１００４に図示される書類に対する基準を含む書類である。したがって、画像１００４は画像１００２の基準が位置する場所において提示される。図１０００の画像１００４のサイズは閾値よりも小さいため、画像１００４の解像度は画像１００２の解像度よりも低い。
【００８７】
ここで、有利な実施形態にしたがって多数の画像を管理するプロセスのフロー図が図示されている図１１に注目する。このプロセスは、図３のデータ処理システム３０２で実行されている画像管理プロセス３０６によって実施可能である。
【００８８】
このプロセスは、指針を使用して、多数の画像が保存される複数の解像度、及び多数の画像の提示様式を特定することによって開始される（動作１１０２）。指針は、ファイル、データベース、又は別の好適なデータソースに保存することができる。複数の解像度とは、各画像に含まれるデータの量である。例えば、解像度は幅１６００画素×高さ１２００画素と提示することができる。
【００８９】
このプロセスはそれから、多数の画像の複数のコピーを複数の解像度で保存する（動作１１０４）。複数のコピーは、ディレクトリ構造、データベース、又は別の好適なデータ構造に保存可能である。このプロセスは次に、提示様式を使用して、多数の画像の提示を定義するレイアウトの選択位置に対し、多数の画像のうちの特定画像のコピーを選択する（動作１１０６）。プロセスはその後終了する。
【００９０】
プロセスは、画像に関連するメタデータに基づいて選択位置に対するコピーを選択することができる。画像は存在を示す論理的関係性を有することができる。特定画像のコピーは、レイアウトの選択位置に対して複数の解像度のうちの所望の解像度を有する。
【００９１】
ここで、有利な実施形態にしたがって、多数の画像を提示するプロセスのフロー図が図示される図１２に注目する。このプロセスは、図３のデータ処理システム３０４の画像提示プロセス３６２によって実施可能である。
【００９２】
このプロセスは、所望の解像度を有する多数の画像のうちの特定画像のコピーに対する識別子と、多数の画像におけるその他の画像に対して、特定画像のコピーを提示する選択位置と、多数の画像のうちのその他の画像のコピーに対して、特定画像のコピーを提示するサイズを含む、多数の画像のレイアウトを受信する（動作１２０２）。レイアウトは、例えば図３の画像管理プロセス３０６等の画像管理プロセスから受信可能である。サイズは座標及び/又はその他の画像に対するサイズを使用して提示することができる。
【００９３】
このプロセスは次に、識別子を使用して、所望の解像度を有する特定画像のコピーを要求する（動作１２０４）。プロセスは、単一のデータ処理システム内のネットワーク又は通信を使用してコピーを要求することができる。あるいは、プロセスは、後の処理のために要求をコンピュータによって読取可能な記憶媒体に保存することができる。プロセスは次に、レイアウトで受信した選択位置及びサイズで特定画像のコピーを提示する（動作１２０６）。プロセスはその後終了する。
【００９４】
ここで、有利な実施形態にしたがって、レイアウトを生成するプロセスのフロー図を図示する図１３に注目する。このプロセスは、図３のデータ処理システム３０２で実行される画像管理プロセス３０６によって実施可能である。
【００９５】
このプロセスは、メタデータを使用して有効な画像ファイル及び関係性情報を特定することによって開始される（動作１３０２）。プロセスは、ファイル拡張、ヘッダー情報、及び/又はチェックサム値を使用して有効な画像ファイルを特定することができる。関係性情報は、画像間の論理的関係性を含むことができる。例えば、ある画像は、その他の画像のコンテンツについての追加の詳細を提供することができる。
【００９６】
プロセスは次に、異なる解像度で画像のコピーを作成する（動作１３０４）。解像度は指針又は規則に含まれうる。解像度はまた、一つの寸法に対してのみ特定することも可能である。つまり、解像度はある有利な実施形態において高さ又は幅に対してのみ特定可能である。プロセスはデータベースにコピーを保存する（動作１３０６）。
【００９７】
最後に、プロセスはレイアウトを生成する（動作１３０８）。プロセスはその後終了する。レイアウトは、画像間の論理的関係性に基づいた画像の位置及びサイズ情報を含む。指針はまた、特定の論理的関係性がある時にどのレイアウトを使用するべきかを示すのにも使用可能である。
【００９８】
ここで、有利な実施形態にしたがって、画像を表示するプロセスのフロー図を示す図１４を参照する。このプロセスは、図３のデータ処理システム３０４で実行される画像提示プロセス３６２によって実施可能である。
【００９９】
このプロセスは、レイアウトを受信してレイアウト画像を作成することによって開始する（動作１４０２）。このプロセスは、例えば図３の画像管理プロセス３０６等の画像管理プロセスからレイアウトを受信可能である。レイアウト画像は、画像で満たされる空の画像又は環境であってよい。
【０１００】
プロセスは次に、レイアウトの規定及び情報を使用して、画像のサイズ及び位置を処理する（動作１４０４）。プロセスは座標及び/又は相対位置、及びサイズを使用して、画像の配置を特定することができる。プロセスは次に、サーバから画像を要求し受信する（動作１４０６）。要求した画像は、画像が表示されるサイズに対してレイアウトに特定された解像度を有する。プロセスは次に、要求されたサイズ及び位置で画像を提示する（動作１４０８）。プロセスはその後終了する。
【０１０１】
ここで、有利な実施形態にしたがってユーザ入力を管理するプロセスのフロー図を示す図１５に注目する。このプロセスは、図３のデータ処理システム３０４で実行される画像提示プロセス３６２によって実施可能である。
【０１０２】
このプロセスは、レイアウトを使用して多数の画像のコピーを提示することによって開始する（動作１５０２）。動作１５０２は、この実施例において図１４のプロセスを使用して実施される。プロセスは次に、画像のコピーのサイズを大きくするように要求するユーザ入力を受信する（動作１５０４）。
【０１０３】
プロセスは次に、画像のコピーのサイズを、ユーザによって要求されるレベルまで拡大させる（動作１５０６）。コピーのサイズは、画像のコピーを表示する表示デバイス上で拡大される。プロセスは次に、ユーザによって要求されるレベルが閾値を超えるか否かを判断する（動作１５０８）。プロセスが、レベルは閾値を超えないと判断した場合、プロセスは終了する。
【０１０４】
プロセスが、動作１５０８においてレベルが閾値を超えると判断した場合、プロセスは、コピーのサイズが閾値を超えて増加したときに、画像の第２コピーを提示するように要求する（動作１５１０）。画像の第２コピーは画像の第１コピーよりも高い解像度を有する。当然ながら、ある有利な実施形態では、閾値は画像ごと又はレベルごとにレイアウトに保存されうる。他の有利な実施形態では、レイアウトは画像の第２コピーの識別子を含まない可能性がある。上記有利な実施形態では、プロセスはエラーメッセージ又は別の好適な画像を含む画像を代わりに要求することができる。
【０１０５】
プロセスは次に、第２コピーをユーザによって要求されたサイズで及び第１コピーの位置に提示する（動作１５１２）。プロセスはその後終了する。
【０１０６】
図示した異なる実施形態のフロー図及びブロック図は、異なる有利な実施形態の装置及び方法の幾つかの可能な実行形態のアーキテクチャ、機能性、及び動作を示す。これに関して、フロー図又はブロック図の各ブロックは、動作又はステップのモジュール、セグメント、機能、及び/又は部分を提示しうる。例えば、一以上のブロックはプログラムコードとして、ハードウェアにおいて、又はプログラムコード及びハードウェアの組み合わせで実行可能である。ハードウェアにおいて実行された場合、ハードウェアは例えば、フロー図又はブロック図で一以上の動作を行うように製造された又は構成された集積回路又はフィールド・プログラマブル・ゲート・アレイの形態であってよい。
【０１０７】
幾つかの代替実行形態において、ブロックに注記された一つの機能又は複数の機能は、図面に注記された順番以外の順番で実施可能である。例えば、ある場合には、関連する機能性に依存して、連続して示す２つのブロックは実質的に同時に実行可能である、又はブロックはしばしば逆の順に実行することができる。例えば、暗号化は同時に、又は図面に示した順番とは異なる順番で行うことができる。また、フロー図又はブロック図に図示されたブロック以外に他のブロックを加えることができる。
【０１０８】
ここで、有利な実施形態によるデータ処理システムを示す図１６に注目する。データ処理システム１６００は図３のデータ処理システム３０２及び/又はデータ処理システム３０４の実施例である。
【０１０９】
この実施例において、データ処理システム１６００はプロセッサユニット１６０４、メモリ１６０６、永続記憶装置１６０８、通信ユニット１６１０、入力／出力（Ｉ／Ｏ）ユニット１６１２、及び表示装置１６１４の間の通信を提供する通信ファブリック１６０２を含む。
【０１１０】
プロセッサユニット１６０４は、メモリ１６０６にロード可能であるソフトウェアの命令を実行するように機能する。プロセッサユニット１６０４は、特定の実行形態によって、多数のプロセッサ、マルチプロセッサコア、又はその他何らかの種類のプロセッサであってよい。本明細書で、品目に関連して使用される「多数の」は、「一以上の品目」を意味する。例えば、多数のプロセッサは、一以上のプロセッサを意味する。さらに、プロセッサユニット１６０４は、シングルチップ上にメインプロセッサがセカンダリプロセッサと共存する、多数の異種プロセッサシステムを使用して、実装することができる。他の実施例として、プロセッサユニット１６０４は、同種の複数のプロセッサを含む、対称型マルチプロセッサとすることもできる。
【０１１１】
メモリ１６０６及び永続記憶装置１６０８は、記憶ユニット１６１５の実施例である。記憶ユニットは、例えば非限定的に、データ、関数形式のプログラムコード、及び/又は一時的及び/又は永続的のいずれかのその他好適な情報等の情報を記憶できる任意のハードウェアである。記憶ユニット１６１６はまた、これらの実施例では、コンピュータによって読取可能な記憶ユニットとも呼ぶことができる。メモリ１６０６はこれらの実施例では例えば、ランダム・アクセス・メモリ、又は他の任意の好適な揮発性又は非揮発性記憶ユニットであってよい。永続記憶装置１６０８は、特定の実行形態によって様々な形態をとることができる。
【０１１２】
例えば、永続記憶装置１６０８は一以上の構成部品又はデバイスを含むことができる。例えば、永続記憶装置１６０８は、ハードドライブ、フラッシュメモリ、書き換え可能な光ディスク、書き換え可能な磁気テープ、又は上記の幾つかの組み合わせであってよい。永続記憶装置１６０８によって使用される媒体はまた取り外し可能であってよい。例えば、取り外し可能なハードドライブを永続記憶装置１６０８に使用することが可能である。
【０１１３】
通信ユニット１６１０はこれらの実施例では、他のデータ処理システム又はデバイスとの通信を提供する。これらの実施例では、通信ユニット１６１０はネットワークインターフェースカードである。通信ユニット１６１０は、物理的な及び無線の通信リンクのいずれか、あるいは両方を使用することによって通信を提供することができる。
【０１１４】
入力／出力ユニット１６１２により、データ処理システム１６００に接続可能なその他のデバイスとのデータの入力及び出力が可能になる。例えば、入力／出力ユニット１６１２は、キーボード、マウス、及び/又はその他何らかの好適な入力デバイスを介してユーザ入力するための接続部を提供しうる。さらに、入力／出力ユニット１６１２は出力をプリンタに送ることができる。表示装置１６１４は、ユーザに情報を表示する機構を提供する。
【０１１５】
オペレーティングシステム、アプリケーション、及び/又はプログラムの命令は、通信ファブリック１６０２を通してプロセッサユニット１６０４と通信している記憶ユニット１６１６に位置しうる。これらの実施例では、命令は永続記憶装置１６０８において関数形式である。これらの命令は、メモリ１６０６にロードされプロセッサユニット１６０４によって実行可能である。異なる有利な実施形態のプロセスは、例えばメモリ１６０６等のメモリに位置しうるコンピュータによって実行される命令を使用して、プロセッサユニット１６０４によって実施可能である。
【０１１６】
これらの命令は、プロセッサユニット１６０４のうちの一つのプロセッサによって読み取り及び実行可能なプログラムコード、コンピュータが使用可能なプログラムコード、又はコンピュータによって読取可能なプログラムコードと呼ばれる。異なる有利な実施形態のプログラムコードは、例えばメモリ１６０６又は永続記憶装置１６０８等の異なる物理的な又はコンピュータによって読取可能な記憶媒体上に具現化することができる。
【０１１７】
プログラムコード１６１８は、選択的に取り外し可能で、データ処理システム１６００にロードする又は転送してプロセッサユニット１６０４によって実行可能なコンピュータによって読取可能な媒体１６２０上に関数形式で位置している。プログラムコード１６１８及びコンピュータによって読取可能な媒体１６２０はこれらの実施例においてコンピュータプログラム製品１６２２を形成する。ある実施例では、コンピュータによって読取可能な媒体１６２０は、コンピュータによって読取可能な記憶媒体１６２４又はコンピュータによって読取可能な信号媒体１６２６であってよい。コンピュータによって読取可能な記憶媒体１６２４は例えば、永続記憶装置１６０８の一部であるハードドライブ等の記憶デバイスに転送するために、永続記憶装置１６０８の一部であるドライブ又はその他のデバイスに挿入されるあるいは配置される光又は磁気ディスクを含むことができる。
【０１１８】
コンピュータによって読取可能な記憶媒体１６２４はまた、データ処理システム１６００に接続された、例えばハードドライブ、サムドライブ、又はフラッシュメモリ等の永続記憶装置の形態をとることもできる。ある場合には、コンピュータによって読取可能な記憶媒体１６２４は、データ処理システム１６００から取り外し可能でなくてよい。これらの実施例では、コンピュータによって読取可能な記憶媒体１６２４はプログラムコード１６１８を伝播させる又は送信する媒体の代わりに、プログラムコード１６１８を記憶するのに使用される物理的又は有形記憶デバイスである。コンピュータによって読取可能な記憶媒体１６２４はまた、コンピュータによって読取可能な有形記憶デバイス、又はコンピュータによって読取可能な物理的記憶媒体とも呼ばれる。つまり、コンピュータによって読取可能な記憶媒体１６２４は人が触ることができる媒体である。
【０１１９】
あるいは、プログラムコード１６１８はコンピュータによって読取可能な信号媒体１６２６を使用して、データ処理システム１６００に転送することができる。コンピュータによって読取可能な信号媒体１６２６は例えば、プログラムコード１６１８を含む伝播されたデータ信号であってよい。例えば、コンピュータによって読取可能な信号媒体１６２６は、電磁気信号、光信号、及び/又はその他任意の好適な種類の信号であってよい。
【０１２０】
ある有利な実施形態では、プログラムコード１６１８は、データ処理システム１６００内で使用するために、コンピュータによって読取可能な信号媒体１６２６を介して、別のデバイス又はデータ処理システムから永続記憶装置１６０８までネットワーク上をダウンロードすることができる。例えば、サーバデータ処理システムのコンピュータによって読取可能な記憶媒体に記憶されたプログラムコードは、サーバからデータ処理システム１６００までネットワーク上をダウンロードすることができる。プログラムコード１６１８を提供するデータ処理システムは、サーバコンピュータ、クライアントコンピュータ、又はプログラムコード１６１８を記憶し送信することができるその他何らかのデバイスであってよい。
【０１２１】
データ処理システム１６００について示した異なる構成部品は、物理的又はアーキテクチャ制限をもたらすように意図されたものではなく、異なる実施形態を実行可能である。異なる有利な実施形態は、データ処理システム１６００について示した構成部品に追加の、あるいは代わりの構成部品を含むデータ処理システムにおいて実行可能である。図１６に示す他の構成部品は、図示した実施例から変更することができる。
【０１２２】
したがって、異なる有利な実施形態により、ユーザがネットワーク上で全ての画像を転送するよりも少ない帯域幅を使用しながら同時に大量の画像及び/又は書類を閲覧し、視覚的に検索することが可能になる。ユーザは通常、ユーザが検索している一つの画像又は複数の画像の全体的な外観を把握しているため、ユーザはレイアウトと、解像度の低い画像を使用して注目対象の画像及び/又は書類を見つけることができる。ユーザは次に、書類及び/又は画像を徐々に拡大して、画像の情報を読み取るのに十分な解像度を有するコピーを要求する。ユーザは、書類及び/又は画像の大きな集合体が関連する物理的な空間を必要とすることなく、あたかも画像を物理的な世界に広げたかのように、表示装置上の情報を閲覧し、またナビゲートすることができる。
【０１２３】
したがって、異なる有利な実施形態は、多数の画像を管理する方法、装置、及びコンピュータプログラム製品を提供する。ある有利な実施形態では、多数の画像を管理する方法が提供されている。多数の画像が保存される複数の解像度、及び多数の画像の提示様式は指針を使用して特定される。多数の画像の複数のコピーが複数の解像度で保存される。多数の画像の提示を定義するレイアウトにおける選択位置に対する、多数の画像のうちの特定画像のコピーは、提示様式を使用して選択される。特定画像のコピーは、レイアウトの選択位置に対して、複数の解像度のうちの所望の解像度を有する。
【０１２４】
異なる有利な実施形態は、全体的にハードウェアの実施形態、全体的にソフトウェアの実施形態、又はハードウェア及びソフトウェア要素を両方含む有利な実施形態の形態をとることができる。ある有利な実施形態は、例えばファームウェア、常駐ソフトウェア、及びマイクロコード等の形態を非限定的に含むソフトウェアにおいて実行される。
【０１２５】
さらに、異なる有利な実施形態は、コンピュータが使用可能な、又はコンピュータによって読み取り可能な媒体であって、コンピュータ、又は命令を実行する任意のデバイス又はシステムによって使用される、又はそれらに関連するプログラムコードを提供する媒体からアクセス可能なコンピュータプログラム製品の形態をとることができる。本開示の目的に対し、コンピュータが使用可能な、又はコンピュータによって読み取り可能な媒体は概して、命令を実行するシステム、装置、又はデバイスによって使用される又はそれらに関連するプログラムを含む、記憶する、通信する、伝播させる、又は運ぶことができる任意の有形装置であってよい。
【０１２６】
コンピュータが使用可能な、又はコンピュータによって読み取り可能な媒体は、例えば非限定的に、電気、磁気、光、電磁気、赤外線、又は半導体システム、又は伝播媒体であってよい。コンピュータによって読み取り可能な媒体の非限定的な実施例は、半導体、又は固体メモリ、磁気テープ、取り外し可能なフロッピー（登録商標）ディスク、ランダム・アクセス・メモリ（ＲＡＭ）、読取専用メモリ（ＲＯＭ）、固定磁気ディスク、及び光ディスクを含む。光ディスクは、コンパクトディスク−読取専用メモリ（ＣＤ−ＲＯＭ）、コンパクトディスク−読取／書込（ＣＤ−Ｒ／Ｗ）、及びＤＶＤを含むことができる。
【０１２７】
さらに、コンピュータが使用可能な、又はコンピュータによって読み取り可能な媒体は、コンピュータによって読み取り可能な、又は使用可能なプログラムコードがコンピュータ上で実行された時に、このコンピュータによって読み取り可能な又は使用可能なプログラムコードの実行により、コンピュータが通信リンク上で別のコンピュータによって読み取り可能な、又は使用可能なプログラムコードを送信するように、コンピュータによって読み取り可能な、又はコンピュータが使用可能なプログラムコードを含む、又は記憶することができる。この通信リンクは、例えば非限定的に、物理的媒体又は無線媒体を使用することができる。
【０１２８】
コンピュータによって読み取り可能な、又はコンピュータが使用可能なプログラムコードを記憶する又は実行するのに好適なデータ処理システムは、例えばシステムバス等の通信ファブリックを介してメモリ要素に直接的又は間接的に結合した一以上のプロセッサを含む。メモリ要素は、コードの実行中に、大容量記憶装置からコードを検索する可能性のある回数を減らすために、少なくとも幾つかのコンピュータによって読み取り可能な、又はコンピュータが使用可能なプログラムコードの一時的な記憶装置を提供する、プログラムコードを実際実行中に用いられるローカルメモリ、大容量記憶装置、キャッシュメモリを含むことができる。
【０１２９】
入力／出力、又はＩ／Ｏデバイスは、直接に、又は介在Ｉ／Ｏコントローラを介してシステムに結合させることができる。これらのデバイスは例えば非限定的に、キーボード、タッチ画面、及びポインティング・デバイスを含むことができる。異なる通信アダプタをシステムに結合させて、データ処理システムを介在私的ネットワーク又は公的ネットワークを介して他のデータ処理システム、遠隔プリンタ、又は記憶デバイスに結合させることも可能になる。非限定的な実施例はモデム及びネットワークアダプタであり、ごくわずかの現在利用可能な種類の通信アダプタである。
【０１３０】
異なる有利な実施形態の記載は、図示及び説明の目的のために提示されたものであり、包括的、又は開示された形の有利な実施形態に限定するように意図されたものではない。当業者には多数の修正及び変形例が明らかである。さらに、他の有利な実施形態と比較して、異なる有利な実施形態により異なる利点を得ることが可能である。選択された一又は複数の有利な実施形態は、有利な実施形態及び実際の応用形態の原理を最適に説明するため、また、当業者が、考えられる特定の使用に好適である様々な修正を施した様々な実施形態の開示を理解できるように選択され記載されたものである。
【０１３１】
別の実施形態では、多数の画像のレイアウトを提示する方法が提供されており、この方法は：
所望の解像度を有する多数の画像のうちの特定画像のコピーについての識別子を含む多数の画像のレイアウトと、特定画像のコピーを多数の画像のうちのその他の画像に相対的に提示する選択位置と、特定画像のコピーを多数の画像のうちのその他の画像のコピーに相対的に提示するサイズを受信し；
識別子を使用して、所望の解像度を有する特定画像のコピーを要求し；
レイアウトにおいて受信した選択位置及びサイズで特定画像のコピーを提示する
ことを含む。
【０１３２】
任意に、コピーは第１コピーであり、所望の解像度は第１の所望の解像度であり、そしてさらに：
図面の特定画像のコピーのサイズを第１レベルまで増加させる要求を受信し；
第１レベルが閾値を超えるか否かを判断し；
第１レベルが閾値を超えるという判断に応答して、第２の所望の解像度を有する特定画像の第２コピーを要求し、特定画像の第２コピーは、特定画像の第１コピーよりも高い詳細レベルを含み；
特定画像の第２コピーが第１コピーの代わりに表示されるように、第２コピーを提示する
ことを含む。
【０１３３】
任意に、要求は第１要求であり、さらに：
図面の特定画像のコピーのサイズを第２レベルまで減少させる第２要求を受信し；
第２レベルが閾値を下回るか否かを判断し；
第２レベルが閾値を下回るという判断に応答して、特定画像の第２コピーの代わりに特定画像の第１コピーを提示する
ことを含む。
【０１３４】
任意に、特定画像のコピーは第１コピーであり、選択位置は第１選択位置であり、レイアウトにおいて受信した選択位置及びサイズで特定画像のコピーを提示することが：
表示デバイスを使用して、特定画像の第１コピーを選択位置及びサイズで提示し；
レイアウトで受信した第２画像の第２コピーが表示デバイスを使用して提示されるように、表示デバイス上に表示された第１画像を移動させ、第２画像の第２コピーは特定画像の第１コピーとは異なる所望の解像度を有する
ことを含む。
【０１３５】
任意に、本方法はさらに：
第２画像の第２コピーが表示デバイスの特定領域を使用して提示されているか否かを判断し；
第２画像の第２コピーが表示デバイスの特定領域を使用して提示されているという判断に応答して、第３の所望の解像度を有する第２画像の第３コピーを要求する
ことを含む。
【０１３６】
任意に、選択位置は第１選択位置であり、さらに：
ユーザ入力の受信に応答して、多数の画像のうちのその他の画像に相対的な位置に特定画像のコピーを提示する
ことを含む。
【０１３７】
任意に、特定画像のコピーの選択位置は、その他の画像のコピーの多数の選択位置と論理的関係性を有する。
【０１３８】
任意に、特定画像は多数の構成部品を有するアセンブリを図示し、その他の画像は多数の構成部品を図示する。
【０１３９】
任意に、特定画像は配線系統の第１部分を図示し、その他の画像は配線系統の他の部分を図示しており、第１部分は、他の部分のうちの少なくとも一部において、第２の多数の配線に接続される第１の多数の配線を含む。
【０１４０】
任意に、特定画像の選択位置は、書類に対する第２画像の基準点が位置するところであり、特定画像は書類である。
【０１４１】
任意に、本方法はさらに：
特定画像のコピーの有効化を含むユーザ入力を受信し；
ユーザ入力の受信に応答して、反転表示された特定画像のコピーが提示される
ことを含む。
【符号の説明】
【０１４２】
１００    航空機の製造及び就航方法
１０２    規格及び設計
１０４    材料の調達
１０６    構成部品及びサブアセンブリの製造
１０８    システム統合
１１０    認可及び納品
１１２    就航
１１４    整備及び保守
２００    航空機
２０２    機体
２０４    システム
２０６    内部装飾
２０８    推進システム
２１０    電気システム
２１２    油圧システム
２１４    環境システム
３００    画像管理環境
３０２    データ処理システム
３０４    データ処理システム
３０６    画像管理プロセス
３０８    複数の解像度
３１０    多数の画像
３１２    提示様式
３１４    指針
３１６    複数のコピー
３１８    特定画像
３２０    他の画像
３２２    レイアウト
３２４    コピー
３２６    選択位置
３２７    所望の解像度
３２８    提示
３３０    メタデータ
３３２    複数の座標
３３４    相対サイズ
３３６    相対位置
３３８    画像
３４０    情報
３４２    オブジェクト
３４４    物理的領域
３４６    詳細レベル
３４８    論理的関係性
３５０    多数の選択位置
３５１    コンテンツ
３５２    コンテンツ
３５４    サイズ
３５６    複数のコピー
３５８    要求
３５９    要求
３６０    リクエスタ
３６１    ネットワーク
３６２    画像提示プロセス
３６４    コンピュータプログラム製品
３６６    識別子
３７０    表示デバイス
３７２    第１レベル
３７４    閾値
３７６    コピー
３７８    第２レベル
３８０    ユーザ入力
３８２    有効化
３８４    色の反転表示
３８６    位置
３８８    コピー
３９０    異なる所望の解像度
３９２    所望の解像度
３９４    特定領域
３９５    図面
３９６    コピー
３９７    所望の解像度
４００    提示様式
４０２    階層
４０４    第１レベル
４０６    さらなる詳細
４０８    第２レベル
４１０    グリッド
４１２    物理的位置
５００    画像管理プロセス
５０２    特定画像
５０４    アセンブリ
５０６    その他の画像
５０８    多数の構成部品
５１０    配線系統
５１２    第１部分
５１４    多数の配線
５１６    その他の部分
５１８    多数の配線
５２０    少なくとも一部分
５２２    ポイント
５２４    画像
５２６    基準
５２８    書類
６００    図面
６０２    画像
６０４    画像
６０６    画像
６０８    画像
６１０    画像
６１２    制御装置
６１４    領域
７００    図面
７０２    領域
８００    図面
９００    図面
９０２    画像
９０４    画像
９０６    画像
９０８    画像
９１０    画像
９１２    特定領域
１０００    図面
１００２    画像
１００４    画像
１６００    データ処理システム
１６０２    通信ファブリック
１６０４    プロセッサユニット
１６０６    メモリ
１６０８    永続記憶装置
１６１０    通信ユニット
１６１２    入力／出力ユニット
１６１４    表示装置
１６１５    記憶デバイス
１６１８    プログラムコード
１６２０    コンピュータによって読み取り可能な媒体
１６２２    コンピュータプログラム製品
１６２４    コンピュータによって読み取り可能な記憶媒体
１６２６    コンピュータによって読み取り可能な信号媒体
【図１】
0005964062.tif 000002
【図２】
0005964062.tif 000003
【図３】
0005964062.tif 000004
【図４】
0005964062.tif 000005
【図５】
0005964062.tif 000006
【図６】
0005964062.tif 000007
【図７】
0005964062.tif 000008
【図８】
0005964062.tif 000009
【図９】
0005964062.tif 000010
【図１０】
0005964062.tif 000011
【図１１】
0005964062.tif 000012
【図１２】
0005964062.tif 000013
【図１３】
0005964062.tif 000014
【図１４】
0005964062.tif 000015
【図１５】
0005964062.tif 000016
【図１６】
0005964062.tif 000017